(57)【要約】【課題】縦型、横型いずれの冷風発生装置においても、各冷凍剤収納室内の下部に溜まった結露水を簡易に外部に排出することができる冷風発生装置を提供すること。【解決手段】冷風発生装置において、本体１が内蔵されたボックス２３の底面に送風穴１１、９と連通する貫通穴２５が設けられるとともに、該貫通穴２５を囲繞してボックス２３の底面下に、冷風送風管４７と結露水の排出口４８を有する結露水溜槽４６が垂設されて結露水は結露水溜槽４６に溜まり、排出口４８より外部に排出される。【選択図】    図１
2008264411.tif 000002
【特許請求の範囲】
【請求項１】
第一の本体構成体（２）と第二の本体構成体（３）による着脱可能な二分割構造にして、対向する壁面（４）、（５）、（７）、（８）の同軸上中央部に送風穴（９）、（１１）が設けられ、かつ内部が前記送風穴（９）、（１１）と連通する送風穴（１５）を有するそれぞれの仕切壁（１３）を介して複数の冷凍剤収納室（１４）に形成された筒状の本体（１）と、
該本体（１）が内蔵されたボックス（２３）と、
該ボックス（２３）の外周に断熱材（３０）を介して被覆された保冷カバー（５２）と、
前記冷凍剤収納室（１４）にそれぞれ収納セットされた冷凍剤（１９）と、
前記本体（１）における一方の送風穴（１１）、（９）を介して前記冷凍剤（１９）に空気を送風するファン（３９）および該ファンの電源（４３）と、
前記本体（１）における他方の送風穴（１１）、（９）を介して前記冷凍剤（１９）により冷却された冷風を送風する冷風送風管（４７）を備えた縦型冷風発生装置において、
前記ボックス（２３）の底面に前記送風穴（１１）、（９）と連通する貫通穴（２５）が設けられるとともに、該貫通穴（２５）を囲繞して前記ボックス（２３）の底面下に、前記冷風送風管（４７）と結露水の排出口（４８）を有する結露水溜槽（４６）が垂設され、
前記冷凍剤（１９）による結露水は前記結露水溜槽（４６）に一時的に溜まるようにされた構成を特徴とする冷風発生装置。
【請求項２】
前記ファン（３９）と電源（４３）が、前記ボックス（２３）の上端部に着脱可能に設けられた着脱自在蓋（３２）内に配置され、該着脱自在蓋（３２）の開口上面には、通気口（４４）を有する開閉蓋（４５）が設けられていることを特徴とする請求項１の冷風発生装置。
【請求項３】
前記保冷カバー（５２）が、前記ボックス（２３）の上端部分において開閉可能となっていることを特徴とする請求項１の冷風発生装置。
【請求項４】
前記保冷カバー（５２）に携帯用ベルト（６０）が設けられていることを特徴とする請求項１の冷風発生装置。
【請求項５】
第一の本体構成体（２）と第二の本体構成体（３）による着脱可能な二分割構造にして、対向する壁面（４）、（５）、（７）、（８）の同軸上中央部に送風穴（９）、（１１）が設けられ、かつ内部が前記送風穴（９）、（１１）と連通する送風穴（１５）を有するそれぞれの仕切壁（１３）を介して複数の冷凍剤収納室（１４）に形成された筒状の本体（１）と、
該本体（１）が内蔵されたボックス（６１）と、
該ボックス（６１）の外周に断熱材（６５）を介して被覆された保冷カバー（７７）と、
前記冷凍剤収納室（１４）にそれぞれ収納セットされた冷凍剤（１９）と、
前記本体（１）における一方の送風穴（１１）、（９）を介して前記冷凍剤（１９）に空気を送風するファン（３９）および該ファンの電源（４３）と、
前記本体（１）における他方の送風穴（１１）、（９）を介して前記冷凍剤（１９）により冷却された冷風を送風する冷風送風管（４７）を備えた横型冷風発生装置において、
前記各冷凍剤収納室（１４）と対応した前記本体（１）における下側の第二の本体構成体（３）の底面部に、前記冷凍剤（１９）による結露水の滴下穴（３ｂ）が明けられ、前記第一の本体構成体（２）と第二の本体構成体（３）は合体状態において、その外周両端部でそれぞれゴムワッカ（２１）の巻着によって一体的な合体状態が保持され、この合体状態において本体（１）が前記ボックス（６１）に内蔵され、前記各冷凍剤（１９）による結露水は前記各滴下穴（３ｂ）から流出して、前記二つのゴムワッカ（２１）によって仕切り形成された前記本体（１）と前記ボックス（６１）との空隙部（７１）の間に溜まるようにされた構成を特徴とする冷風発生装置。
【発明の詳細な説明】
【技術分野】
【０００１】
本発明は、猛暑のなか冷房のない部屋や屋外で過ごす場合、更には病院等において氷又は冷凍剤を用いて身体を部分的に冷やす場合等において用いられる冷風発生装置に関するものである。
【背景技術】
【０００２】
従来、真夏の屋外競技場等において観客は体温の上昇を防ぐため、うちは、携帯の扇風機又は冷凍帯、ひんやりシート等を使用していた。又、病院等で患者の患部を部分的に冷やすために、氷のうを用いていた。
【０００３】
しかし、真夏は温度がもともと高いために、うちはや扇風機等では満足すべき冷風感を得ることができない。又、患者の患部を部分的に氷のうで冷やす場合において、氷のうでは患部のどこの部位でも、又どんな角度でも自在に連続的に冷やすことは困難である。
【０００４】
そこで、本発明者等は、第一の本体構成部と第二の本体構成部による着脱可能な二分割構造にして、対向する壁面の同軸上中央部に送風穴が設けられ、かつ内部が、送風穴と連通する送風穴を有するそれぞれの仕切壁を介して複数の冷凍剤収納室に形成された筒状の本体と、該本体が内蔵されたボックスと、該ボックスの外周に断熱材を介して被覆された保冷カバーと、冷凍剤収納室にそれぞれ収納セットされた冷凍剤と、本体における一方の送風穴を介して冷凍剤に空気を送風するファンおよび該ファンの電源と、本体における他方の送風穴を介して冷凍剤により冷却された冷風を送風する冷風送風管を備えた冷風発生装置を発明して特許出願をした（特願２００５−１５３５３７号）。
【０００５】
この特願２００５−１５３５３７号に係る発明は、ファンにより本体内に送風された空気が本体内にセット収納されている冷凍剤によって冷風化され、これが冷風送風管を介して冷房に供されて、真夏の屋外においても満足すべき冷風感が得られるという効果を奏するも、外気の吹き込みにより冷凍剤の表面に結露が生じ、この結露水が滴下して各冷凍剤収納室内の底部に溜まり、この結露水が相当量溜まってくると、吹き込まれた風の通りが悪くなるばかりか、風の流れが乱れて冷却効率が悪くなり、期待する冷風が得られない。
【０００６】
そこで、本発明者等は、各冷凍材収納室の底部に溜まった結露水を冷凍剤収納室の外部に排出させるため、各冷凍剤収納室と対応した本体における下本体部の底部に、冷凍剤による結露水の排水穴が貫通して設けられ、各排水穴に対応させて、下本体部の底面外部には、排水口を有する各結露水溜槽が垂設固定されるとともに、これら各結露水溜槽には、排水口を開閉する手動可能な開閉弁を介して排水管が連結され、開閉弁の手動操作により、排水穴を通して結露水溜槽に溜まった冷凍剤による結露水を外部に排水するようにした冷風発生装置を考案して、これを実用新案登録出願し（実願２００６−００６３８２号）、実用新案登録（登録第３１２６２６１号）を得た。
【発明の開示】
【発明が解決しようとする課題】
【０００７】
本発明が解決しようとする問題点は、先の特許出願（特願２００５−１５３５３７号）に係る横型の冷風発生装置において、各冷凍剤収納室内に溜まった結露水を外部に排出するには、実用新案登録第３１２６２６１号に係る考案を実施して排出することが可能であるが、特願２００５−１５３５３７号に係る冷風発生装置を一部変更してこれを縦型の冷風発生装置とする場合においては、その結露水を外部に排出するには、ボックス内より本体を引き出しでゴムワッカを外し、本体を二つに分割して冷凍剤を取り出し、溜まった結露水を出さなければならないという点である。
【０００８】
従って、本発明の目的は、縦型および横型の冷風発生装置において、各冷凍剤収納室内に溜まった結露水を簡易に外部に排水することができる冷風発生装置を提供することにある。
【０００９】
この目的のため、本発明の請求項1に記載の冷風発生装置は、第一の本体構成体２と第二の本体構成体３による着脱可能な二分割構造にして、対向する壁面４、５、７、８の同軸上中央部に送風穴９、１１が設けられ、かつ内部が前記送風穴９、１１と連通する送風穴１５を有するそれぞれの仕切壁１３を介して複数の冷凍剤収納室１４に形成された筒状の本体１と、
該本体１が内蔵されたボックス２３と、
該ボックス２３の外周に断熱材３０を介して被覆された保冷カバー５２と、
前記冷凍剤収納室１４にそれぞれ収納セットされた冷凍剤１９と、
前記本体１における一方の送風穴１１、９を介して前記冷凍剤１９に空気を送風するファン３９および該ファンの電源４３と、
前記本体１における他方の送風穴１１、９を介して前記冷凍剤１９により冷却された冷風を送風する冷風送風管４７を備えた縦型冷風発生装置において、
前記ボックス２３の底面に前記送風穴１１、９と連通する貫通穴２５が設けられるとともに、該貫通穴２５を囲繞して前記ボックス２３の底面下に、前記冷風送風管４７と結露水の排出口４８を有する結露水溜槽４６が垂設され、
前記冷凍剤１９による結露水は前記結露水溜槽４６に一時的に溜まるようにされた構成を特徴とするものである。
【００１０】
本発明の請求項２に記載の冷風発生装置は、前記ファン３９と電源４３が、前記ボックス２３の上端部に着脱可能に設けられた着脱自在蓋３２内に配置され、該着脱自在蓋３２の開口上面には、通気口４４を有する開閉蓋４５が設けられていることを特徴とするものである。
【００１１】
本発明の請求項３に記載の冷風発生装置は、前記保冷カバー５２が、前記ボックス２３の上端部分において開閉可能となっていることを特徴とするものである。
【００１２】
本発明の請求項４に記載の冷風発生装置は、前記保冷カバー５２に携帯用ベルト６０が設けられていることを特徴とするものである。
【００１３】
本発明の請求項５に記載の冷風発生装置は、第一の本体構成体２と第二の本体構成体３による着脱可能な二分割構造にして、対向する壁面４、５、７、８の同軸上中央部に送風穴９、１１が設けられ、かつ内部が前記送風穴９、１１と連通する送風穴１５を有するそれぞれの仕切壁１３を介して複数の冷凍剤収納室１４に形成された筒状の本体１と、
該本体１が内蔵されたボックス６１と、
該ボックス６１の外周に断熱材６５を介して被覆された保冷カバー７７と、
前記冷凍剤収納室１４にそれぞれ収納セットされた冷凍剤１９と、
前記本体１における一方の送風穴１１、９を介して前記冷凍剤１９に空気を送風するファン３９および該ファンの電源４３と、
前記本体１における他方の送風穴１１、９を介して前記冷凍剤１９により冷却された冷風を送風する冷風送風管４７を備えた横型冷風発生装置において、
前記各冷凍剤収納室１４と対応した前記本体１における下側の本体構成体３の底面部に、前記冷凍剤１９による結露水の滴下穴３ｂが明けられ、前記第一の本体構成部２と第二の本体構成部３は合体状態において、その外周両端部でそれぞれゴムワッカ２１の巻着によって一体的な合体状態が保持され、この合体状態において本体１が前記ボックス２１に内蔵され、前記各冷凍剤１９による結露水は前記各滴下穴３ｂから流出して、前記二つのゴムワッカ２１によって仕切り形成された前記本体１と前記ボックス６１との空隙部７１の間に溜まるようにされた構成を特徴とするものである。
【発明の効果】
【００１４】
請求項1から請求項５に記載の発明によれば、縦型冷風発生装置、横型冷風発生装置のいずれの冷風発生装置においても、各冷凍剤収納室の内部気圧に何らの変化を与えることなく、全て均等な内部気圧で、冷却効率に影響を及ぼすことなく、冷凍剤による結露水を簡単に外部に排出することができる。
【発明を実施するための最良の形態】
【００１５】
本発明に係る冷風発生装置は、筒状本体における送風穴を有する仕切壁を介して複数冷凍剤収納室に区画形成された本体の各収納室内に冷凍された冷凍剤がそれぞれセット内蔵され、冷凍剤の一方の面側より空気が強制的に送風されて、この空気が冷凍剤により冷却され、この冷却された空気が冷凍剤の他方の面側より冷風として導出されるとともに、冷凍剤による結露水は本体外部に容易に排出されるものである。
【００１６】
以下、本発明の具体的な実施例を図面に基づきその作用と共に説明する。
【００１７】
図１は、本発明に係る冷風発生装置である縦型冷風発生装置の一例での一部を断面し、かつ省略して示す正面図、図２は、図１における本体の二分割分離状態を示す正面図、図３は、本体部分を断面して示す正面図、図４は、図１におけるボックスと本体を横断面して冷凍剤収納室内を示す拡大平面図、図５は、図１の５−５線に沿った拡大断面図である。
【００１８】
これら図において、本縦型冷風発生装置は本体１を備えている。
【００１９】
本体１は、好ましくは、硬質樹脂製での成形品であって全体縦長の円形筒状を呈し、図２に示されているように、第一の本体構成体２と第二の本体構成体３での着脱可能な二分割構造となっている。
【００２０】
本体１は、共に半円形の第一および第二の本体構成体２、３の合体により円筒形に一体的に形成されるが、この合体のため、第一の本体構成体２の相対向する両側面壁４、５の中央部位には切欠部６が形成され、第二の本体構成体３の相対向する両側面壁７、８の中央部位には側面壁７、８と一体にやや上部に延設され、かつその中心に送風穴９を有する切欠部６と一体的に接合する突出接続部１０と、該突出接続部１０と段部を介して一体にして側面壁７、８の外側面に形成された送風穴９と連通する外向きハ字状の送風穴１１を有する接続部１２が設けられている。
【００２１】
第一および第二の本体構成体２、３内は、それぞれ複数の仕切壁１３を介して複数の冷凍剤収納室１４に区画形成され、各仕切壁１３の合体側(当接端面)には、送風穴９、１１と連通する送風用切欠部１５が形成されている。
【００２２】
また、第一および第二の本体構成体２、３における各冷凍剤収納室１４の内面壁には、間隔を有して二つの片寄り防止部１６が設けられるとともに、各冷凍剤収納室１４を形成する各仕切壁１３と両側面壁４、５には間隔を有して、送風用切欠部６に向け放射状にそれぞれテーパー面１７を有する三つの片寄り防止部１８が設けられている。
【００２３】
なお、片寄り防止部１６、１８は、各冷凍剤収納室１４内にそれぞれ冷凍剤１９がセット収納された場合に、冷凍剤１９の両面と各仕切り壁１３及び両側面壁４、５(７、８)との間に常に均等な空間部２０が維持されて風の流れが良好となり、送風された空気が効率的に冷却されるようにしたものである。
【００２４】
また、片寄り防止部１８のテーパー面１７は、冷凍剤収納室１４内に冷凍剤１９を収納する場合において、そのガイドとなってスムーズにして、かつ損傷等を与えることなく、安全、容易に収納し得るようにしたものである。
【００２５】
なお、片寄り防止部の数は限定されず適宜である。
【００２６】
そして、第二の本体構成体３の各冷凍剤収納室１４内にそれぞれ冷凍された冷凍剤１９がセット収納され、図２に実線矢印で示されているように、第一の本体構成体２がその送風用切欠部６と第二の本体構成体３の突出接続部１０との嵌合による第一および第二の本体構成体２、３の分割端面の接合をもって一体的に合体され、この合体により送風用切欠部１５、１５によって各仕切壁１３の中心部に送風穴が形成される。
【００２７】
そして、この合体状態は、本体１の外周三個所において巻着されたゴム又は螺旋状スプリングのワッカ２１によって維持されている。
【００２８】
なお、第一および第二の本体構成体２、３の外周にはずれ防止突起部２２が設けられ、これら二つのずれ防止突起部２２、２２間にそれぞれのワッカ２１が巻着されて、各ワッカ２１がずれないようになっている。
【００２９】
各冷凍剤収納室１４内にセット収納される冷凍剤１９は、ナイロンフィルム等の袋にゼリー状の冷凍剤が密閉された公知のものであって、この冷凍剤は、好ましくは冷凍庫において夜間の電力で凍らせて使用される。
【００３０】
以上のようにして、各冷凍剤収納室１４内にそれぞれ冷凍剤１９がセット収納され、第一および第二の本体構成体２、３が接合合体されて複数のワッカ２１により巻着された本体１は円形筒状体であるボックス２３内に固定的に収納される。
【００３１】
ボックス２３は、好ましくは硬質合成樹脂材による一体成形品として得られるもので、一側面（上端面）が開口した円形筒状体であって、その開口部外周には肉厚部２４が形成され、閉塞底面の中央部には、内側に突出させて本体１における送風穴９、１１、１５と連通する貫通穴２５を有するゴムパッキン装着突出部２６が一体に形成されるとともに、底面の下部は、底面と一体の延設部２７を介して袴状の立置足部２８を形成し、本体１を含むボックス２３が安定的に立置できるようになっている。
【００３２】
ボックス２３のゴムパッキン装着突出部２６には厚板のゴムパッキン２９が固定的に装着されるとともに、外周全体には断面多角形状の断熱材３０がその略Ｌ形上端部３１を肉厚部２４の段部に押し当てた状態で外装着されている。
【００３３】
ボックス２３の上端開口部には、円筒状の着脱自在蓋３２が一体的に設けられている。
【００３４】
着脱自在蓋３２は、上面が開口した有底の胴部３３と、底下面に一体に突設された円形の嵌入部３４を有し、底面の中央部には、外側に突出させて送風穴３５を有するゴムパッキン装着突出部３６が一体に形成され、ゴムパッキン装着突出部３６にゴムパッキン３７が装着されている。
【００３５】
着脱自在蓋３２における胴部３３の底面上に断熱材３８が設けられるとともに、断熱材３８上には、本体１内の冷凍剤１９に空気を送るためのファン３９が設けられている。
【００３６】
ファン３９は、送風管４０を有し、その先端テーパー部が断熱材３８の送風管挿通穴４１を介してゴムパッキン装着突出部３６のテーパー付送風穴３５に嵌めこまれ、そのファン部が取付け部材４２を介して胴部３３に取り付けられている。
【００３７】
胴部断熱材３８上には、バッテリ等のファン電源４３が設けられ、ファン電源４３は電気配線を介してファン部と電気接続され、ファン電源４３のオン(ＯＮ)、（ＯＦＦ）オフにより送風し、送風を停止するようになっている。
【００３８】
胴部３３におけるファン３９、ファン電源４３側の開口部は、その中央部二個所に通気口４４を有する開閉蓋４５によって閉塞されている。
【００３９】
そして、図１に示されているように、ボックス２３内に、冷凍剤１９が収納された本体１がその下部側の接続部１２をゴムパッキン２９に当接させて、送風穴９と貫通穴２５を連通させた状態で収納されるとともに、ボックス２３の上面開口部には、着脱自在蓋３２の嵌入部３４がボックス肉厚部２４の部分内に、ゴムパッキン３７を接続部１２に当接させて、ファン先端と送風穴１１、９を連通させた状態で嵌め込まれて着脱自在蓋３２が一体的に組み込まれ、また図７に示されているように、着脱自在蓋３２をボックス２３より引き抜くことにより取り外すことができるようになっている。
【００４０】
なお、ゴムパッキン２９、３７が設けられているのは、本体１の接続部１２との接触面で送風漏れを防止し、かつ本体１とボックス２３、着脱自在蓋３２との組み込み時において、両者の衝撃を和らげるためである。
【００４１】
冷凍剤１９はファン３９からの送風により冷凍されるが、この場合に結露水が発生し、その結露水は冷凍剤収納室１４内に溜まることになる。そこで、この溜まった結露水を外部に排出するため、ボックス２３における延設部２７の下面中央部に、ボックス底面の貫通穴２５を囲繞して有底の結露水溜槽４６が垂設されている。
【００４２】
結露水溜槽４６の上部には、冷風送風管４７の先端が連結されるとともに、ボックス２３における立置足部２８の穴を介して外部に導出され、また、底面には結露水の排出口４８が明けられるとともに、これにはキャップ４９を有する排水管５０が接続され、冷凍剤収納室１４から貫通穴２５を通って結露水溜槽４６内に溜まった結露水は排水管５０から外部に排出されるようになっている。
【００４３】
結露水溜槽４６、冷風送風管４７、排水管５０の外周は断熱材５１で被覆され、外部からの熱伝導が可能な限り防止されるようになっている。
【００４４】
図１に示されているように、断熱材３０と着脱自在蓋３２を覆って保冷カバー５２が設けられている。この保冷カバー５２は、断熱材３０と同形の断面多角形状体であって、ボックス２３の部分を覆う胴部５３と、胴部５３と一体にして、着脱自在蓋３２の部分を覆い、かつ上面に通気口４４と適合した通気口５４を有する開閉蓋部５５から形成され、胴部５３の下端鍔部５６がボックス２３の延設部２７にボルト５７により固着され、開閉蓋部５４は、図５および図７に示されているように、チャック５８による非チャック部分５９までの開閉により開閉できるようになっている。
【００４５】
本冷風発生装置は、据え置で使用してもいが、保冷カバー５２の外側面には携帯用ベルト６０が取り付けられてこのベルト６０によって手提げや肩掛けによる携帯が可能となっている。
【００４６】
本冷風発生装置は、上記のように、断熱材３０、５１、保冷カバー５２が設けられているが、これは本体１およびボックス２３の材質としては熱伝導性の低い材質で形成しているものの、冷凍した冷凍剤１９を本体１の各冷凍剤収納室１４内にセットしながら、本冷風発生装置の作動を停止して使用しない状態が続く場合に、冷凍している冷凍剤１９をより効果的に保冷するためである。
【００４７】
次に、動作について説明する。
【００４８】
ファン３９の駆動により空気は送風管４０から送風穴９、１２、１５を通って本体１の冷凍剤収納室１４内の空間部２０に流れて、冷凍剤１９により冷風化され、この冷風化された冷気は仕切壁１３の送風用切欠部１５、１５で形成の送風穴を通って順次に各冷凍剤収納室１４内の各空間部２０を流れて、セット収納の冷凍剤１９によって更に冷風化され、最終的に冷風化された冷気は、送風穴１１、９、貫通穴２５から結露水溜槽５１内に流れ、冷風送風管４７を通って外部に導出され、使用者の冷房に供される。
【００４９】
このようにして冷風は得られるが、ファン３９の駆動による外気の吹き込みにより冷凍剤１９の表面に結露が生じ、この結露水が滴下して各冷凍剤収納室１４内の底部に溜まるが、これら結露水は、各冷凍剤収納室１４内の送風穴から下方へと自然に流れ落ち、最終下段の冷凍剤収納室１４内の送風穴１１、９から貫通穴２５を流れ落ちて結露水溜槽４６に溜まる。
【００５０】
なお、結露水溜槽４６内においては、冷風も通流するが、結露水は凍っておらず冷水であるから冷風化への影響はなく、むしろ弱体化へと進む冷凍剤を用いるうえからも、冷風化への区間が若干でも延びることになり、冷風化効果が高くなる。
【００５１】
結露水溜槽４６に溜まった結露水は、使用中でも排水管５０を介して外部に排水可能であるが、排水が終わりに近づくと、排水管５０から冷風が抜けることになるので、冷凍剤１９の交換時に結露水の排水を行うが理想的である。
【００５２】
そして、この冷凍剤１９の交換は、図７に示されているように、保冷カバー５２がチャック５８による非チャック部分５９（図５参照）までの開放によって開閉蓋部５４が開蓋されて、着脱自在蓋３２がボックス２３から引き出されて分離され、本体１がボックス２３から出され、ゴムワッカ２１が外されて本体１が二つに分割分離され、各冷凍剤１９の交換がなされる。
【００５３】
なお、本実施例においては、ファン３９、電源４３等はボックス２３の上部に設けられ、冷風送風管４７はボックス２３の下部にある結露水溜槽４６に設けられているが、これに限定されず、結露水溜槽４６のコンパクト化は可能であり、かつファン、電源等のコンパクト化も可能であるから、ファンや電源等を、結露水溜槽と共にボックス２３の下部に配置し、冷風送風管４７をボックス２３の上部に設けることができ、これによって若干重心が低くなるため、袴状の立置足部２８による縦置きがより安定的にできる。
【００５４】
また、冷凍した冷凍剤１９を本体１の各冷凍剤収納室１４内に収納セットしながら、本冷風発生装置の作動を停止して使用しない状態が続く場合には、本体１内は冷気化が進んで、冷気は降下するが、この現象は横型にあっては考慮する程ではないが、縦型になると全長が長くなればなる程考慮する必要がある。
【００５５】
そこで、本体１内の冷気が降下すると、その降下分だけファン３９側から外気が流れ込むことになり、弱い流動ではあるが、冷風送風管４７から冷風が放出されるとになって無駄となってしまうので、本体１内での流動を防いで、保冷度を高めるため、特に図示しないが、送風管４０の先端テーパー部を装着するテーパー付送風穴３５に、着脱可能な先端をテーパー状とした棒状の盲栓を設け、また、冷風送風管４７の立置足部２８の近くに、容易に着脱可能なキャップを設けて、本体１の完全密閉化を図る。
【００５６】
なお、上記した本体１の完全密閉化は、二個所において通気遮断をすれば、より効果的であるが、いずれかの一個所での通気遮断であっても十分な効果が得られる。
【００５７】
本発明に係る冷風発生装置の変形は可能であり、図９および図１０に他の変形態様が示されている。
【００５８】
これら図において、本冷風発生装置は、横型の冷風発生装置であって、その主要な構成については、図１から図８に示された縦型の冷風発生装置と同じであるため、図１から図８に示された構成との対応部分に同一の符号を附し、それらの詳細な説明は援用することにして省略して概略説明に止め、相違する構成について説明する。
【００５９】
図９は、本発明に係る横型冷風発生装置の一例での一部を断面し、かつ省略して示す正面図、図１０は、本体部分を断面して示す正面図である。
【００６０】
これら図において、本体１は、第一の本体構成体２と第二の本体構成体３での着脱可能な二分割構造となっている。
【００６１】
本体１の全体構成は、図２と図３に示された本体構成と略同じであるが、本例における本体１は横型であって、第一および第二の本体構成体２、３の長手方向の両端にやや外側に延びた鍔部２ａ、３ａが一体に形成され、第一の本体構成体２と第二の本体構成体３は、合体されて鍔部２ａ、３ａの外周二個所において、ゴムワッカ２１により巻着され、合体状態が維持されている。
【００６２】
これら二個所のゴムワッカ２１は、第一および第二の本体構成体２、３の合体維持と、後述するようにボックス内に挿入されときに、ボックスと本体１との間に空隙部が形成されるようにするためで、ゴムワッカ２１は二個所でよく、それ以上に送風漏れ防止用のゴムワッカを設ける必要はない。けだし、ボックスは密閉されていて、本体１内を通過する送風の気圧とボックス内の気圧は常に同等の気圧であって、送風漏れを生じないからである。
【００６３】
第二の本体構成体３の底部には、各冷凍剤収納室１４と対応し、かつ各仕切壁１３と近接した部位にそれぞれ二個所の結露水滴下穴３ｂが貫通して設けられている。
【００６４】
そして、各冷凍剤収納室１４内にそれぞれ冷凍剤１９がセット収納され、第一および第二の本体構成体２、３が接合合体されて二個所のゴムワッカ２１により巻着された本体１はボックス６１内に固定的に収納される。
【００６５】
ボックス６１は、好ましくは硬質合成樹脂材による一体成形品として得られるもので、一側面が開口した筒状体であって、その閉塞面壁の中央内側には、本体１における送風穴９、１１、１５と連通するテーパー付送風穴を有するゴムパッキン装着突出部６２が一体に膨出形成されるとともに、開口側端縁外周には突起部６３が一体に周設されている。
【００６６】
ボックス６１のゴムパッキン装着突出部６２には厚板のゴムパッキン６４が固定的に装着されるとともに、外周全体には断面方形多角形状の断熱材６５がその開口側先端６６を突起部６３に押し当て、かつ閉塞面壁中央部に設けられた送風管挿通穴６７をゴムパッキン装着突出部６２と略適合させ、送風管挿通穴６７がテーパー付送風穴と送風穴９、１１、１５とに連通した状態で外装着されている。
【００６７】
断熱材６５の閉塞面壁の外側には、本体１内の冷凍剤１９に空気を送るためのファン３９が設けられている。
【００６８】
ファン３９は、送風管４０を有し、その先端テーパー部が断熱材６５の送風管挿通穴６７を介してゴムパッキン装着突出部６２のテーパー付送風穴に嵌めこまれ、そのファン部が取付部材４２を介して両面開口の設置ボックス６８の天井に取り付けられている。
【００６９】
設置ボックス６８は、その略中央部内周に補強鍔部６９を一体に有し、この補強鍔部６９が断熱材６５の閉塞面壁に押し付けられて断熱材６５に強固に外挿着されている。
【００７０】
設置ボックス６８内の底面上には、バッテリ等のファン電源４３が設けられ、ファン電源４３は電気配線を介してファン部と電気接続され、ファン電源４３のオン(ＯＮ)、（ＯＦＦ）オフにより送風し、送風を停止するようになっている。
【００７１】
設置ボックス６８におけるファン３９、ファン電源４３側の開口部は、その中央部の上下二個所に通気口を有する開閉蓋７０によって閉塞されている。
【００７２】
各冷凍剤１９がセット収納された本体１は、ボックス６１内に固定的に挿入され、図９に示されているように、ボックス６１と本体１との間にゴムワッカ２１による空隙部７１が形成されて、ボックス６１の開口部には開閉蓋７２が密閉的に嵌合される。
【００７３】
開閉蓋７２は、外向き鍔部、凹陥部を有し、かつ凹陥部の中央内側には本体１における送風穴９、１１、１５と連通するテーパー付送風穴を有するゴムパッキン装着突出部が一体に膨出形成されており、ゴムパッキン装着突出部には厚板のゴムパッキン７３が固定的に装着されるとともに、凹陥部には中央部に冷風送風管挿通穴７４を有する断熱材７５が充填され、この状態で開閉蓋７２は、そのゴムパッキン７３を本体１の接続部１２に当接させ、かつ冷風送風管挿通穴７４がテーパー付送風穴と送風穴９、１１、１５とに連通した状態で凹陥部がボックス６１の開口部に密閉的に嵌合されて取り付けられている。
【００７４】
ゴムパッキン装着突出部のテーパー付送風穴には、断熱材７５の冷風送風管挿通穴７４を介して冷風送風管４７の先端テーパー部７６が嵌め込まれている。
【００７５】
断熱材６５、７５と設置ボックス６８の全外周には、保冷カバー７７が設けられている。保冷カバー７７は、その全体が保冷用生地ではなく、ファン３９側における開閉蓋７０の通気口の周りは部分的に通気性を考慮した生地が用いられ、ファン３９、ファン電源４３側には通気口７８が設けられている。そして、この保冷カバー７７はチャック７９によって非チャック部分を除いて開閉可能となっており、本体１内の冷凍剤１９等が交換される場合には、保冷カバー７７が開放されることにより、開閉蓋７０が挿脱されて本体１がボックス６１内から挿脱されて冷凍剤１９等の交換ができるようになっている。
【００７６】
次に、本実施例の動作について説明する。
【００７７】
このように構成された本冷風発生装置は、ファン３９の駆動により空気が送風管４０、送風穴９、１１、１５を通って本体１内の冷凍剤収納室１４内の空間部２０に流れて、冷凍剤１９により冷風化され、この冷風化された冷気は仕切壁１３の送風用切欠部１５、１５で形成の送風穴を通って順次に各冷凍剤収納室１４内の各空間部２０を流れて、セット収納の冷凍剤１９によって更に冷風化され、最終的に冷風化された冷気は、送風穴９、１１より冷風送風管４７を通って外部に導出され、使用者の冷房に供される。
【００７８】
このようにして冷風は得られるが、ファン３９の駆動による外気の吹き込みにより冷凍剤１９の表面に結露が生じ、この結露水が滴下して各冷凍剤収納室１４内の底部に溜まるが、これら結露水は、各冷凍剤収納室１４内の各結露水滴下穴３ｂから滴下して二つのゴムワッカ２１によって仕切り形成されたボックス６１との空隙部７１の間に溜まる。
【００７９】
この空隙部７１の間に溜まった結露水は、保冷カバー７７を明けてボックス６１から開閉蓋７２を外し、略水平な状態においてボックス６１内から本体１を徐々に引き出すことにより、結露水はボックス２１の外に排出される。
【図面の簡単な説明】
【００８０】
【図１】本発明に係る冷風発生装置である縦型冷風発生装置の一例での一部を断面し、かつ省略して示す正面図である。
【図２】図１における本体の二分割分離状態を示す正面図である。
【図３】本体部分を断面して示す正面図である。
【図４】図１におけるボックスと本体を横断面して冷凍剤収納室内を示す拡大平面図である。
【図５】図１の５−５線に沿った拡大断面図である。
【図６】開閉蓋の拡大平面図である。
【図７】図１の状態から保冷カバーを一部開放し、着脱自在蓋を分離させた状態を示す断面図である。
【図８】全体の概略斜視図である。
【図９】本発明に係る冷風発生装置である横型冷風発生装置の一例での一部を断面し、かつ省略して示す正面図である。
【図１０】本体部分を断面して示す正面図である。
【符号の説明】
【００８１】
１    本体
２    第一の本体構成体
３    第二の本体構成体
３ｂ    結露水滴下穴
４、５、７、８    壁面
９、１１    送風穴
１３    仕切壁
１４    冷凍剤収納室
１５    送風穴
１９    冷凍剤
２１    ゴムワッカ
２３    ボックス
２５    貫通穴
３０    断熱材 
３２    着脱自在蓋
３９    ファン
４３    電源
４４    通気口
４５    開閉蓋
４６    結露水溜槽
４７    冷風送風管
４８    排出口
５２    保冷カバー
６０    携帯用ベルト
６１    ボックス
６５    断熱材
７１    空隙部
【図１】
2008264411.tif 000003
【図２】
2008264411.tif 000004
【図３】
2008264411.tif 000005
【図４】
2008264411.tif 000006
【図５】
2008264411.tif 000007
【図６】
2008264411.tif 000008
【図７】
2008264411.tif 000009
【図８】
2008264411.tif 000010
【図９】
2008264411.tif 000011
【図１０】
2008264411.tif 000012